(57)【要約】      （修正有）【課題】ピンチどめなどが不要で、不使用時に簡単に片付けることが可能な洗濯物干し用カーテンを提供する。【解決手段】カーテンは１辺５ｃｍのあみ目を有し、このあみ目にハンガーをかけて使う。【選択図】図１
0003169608.tif 000002
【実用新案登録請求の範囲】
【請求項１】
高さを細かく設定ができるあみ目サイズ一辺５ｃｍのあみを使うこと、あみ目にハンガーをかけて使うこと、ハンガーフック部（頭）があみ目をするりとぬけるあみ目サイズ一辺５ｃｍにしてあること、カーテンレールとあみを組み合わせて使うことなどを特徴とする考案である
【考案の詳細な説明】
【技術分野】
【０００１】  本考案は洗濯物を干すための方法に関する
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  窓を開けた状態で、室内に脱水後の衣服をかけたハンガーをひもや物干し竿を使って干すとき、家族の中で干す人の身長にひらきがあると、小柄な人にとってはひもや物干し竿が高くて干しにくいため、小柄な人にひもや物干し竿の高さを合わせる必要があること。風でハンガーがずれないようにするために、ピンチどめやとめ具どめが必要なこと。たくさんのハンガーをかける場合、風によるずれを防ぐためのピンチどめやとめ具どめのためのたくさんの時間が必要なこと。使わない場合、簡単に片付けができないため、じゃまになること、視界をさえぎること。
【課題を解決するための手段】
【０００６】  本考案は窓に取り付けたあみとカーテンレールを用いて、窓を開けた状態で室内に脱水後の衣服をかけたハンガーを干す方法である
あみ目サイズが一辺５ｃｍのあみを使うことにより、干す高さを５ｃｍきざみで細かく設定できることになり、小刻みにさまざまな高さの選択が可能となる。そのため、小柄な人でも干しやすい高さで干すことができるようになり、あみ目さえあればどこでもハンガーをかけることができる。つまり、あみを使えば小柄な人に高さを合わせる必要がなくなる。
ハンガーをあみ目にかけることによって、ハンガーが風でずれなくすることができる。そのため、ピンチどめやとめ具どめの必要がなくなる。
ハンガーフック部（頭）がするりとぬけるあみ目サイズ一辺５ｃｍにしてあることによって、ハンガーフック部（頭）をあみ目の中に押し込んで引くという動作だけで、一瞬にしてかけることができ、たくさんの時間が必要なくなる。また、本考案ではピンチどめやとめ具どめの必要がないので、ピンチどめやとめ具どめのためのたくさんの時間も必要なくなる。
カーテンレールとあみを組み合わせていることにより、使わないときはあみカーテンを開けてまとめることができ、とめて簡単に片付けることができる。そのため、じゃまにならずにすみ、視界をさえぎらないですむ
【考案の効果】
【０００７】  あみ目サイズ一辺５ｃｍのあみを使えば、小刻みにさまざまな高さの選択が可能となる。そのため、ひもや物干し竿の場合と異なり、使う高さを小柄な人に合わせる必要がなくなる。
ハンガーをあみ目にかけて使えば、ハンガーが風でずれなくすることが可能となる。そのため、ひもや物干し竿の場合と異なり、ピンチどめやとめ具どめの必要がなくなる。
あみ目サイズを一辺５ｃｍにして使えば、ハンガーフック部（頭）がするりとぬけて一瞬でかけることが可能となる。つまり、たくさんのハンガーをかける場合でもたくさんの時間は必要ない。また、本考案ではピンチどめやとめ具どめの必要がないので、ひもや物干し竿の場合と異なり、ピンチどめやとめ具どめのためのたくさんの時間も必要ない。
カーテンレールとあみを組み合わせて使えば、不使用時にあみカーテンを開けてまとめることができ、とめて簡単に片付けることが可能となる。そのため、ひもや物干し竿の場合と異なり、じゃまにならずにすみ、視界をさえぎらないですむようになる。
【図面の簡単な説明】
【０００８】
【図１】正面図
【考案を実施するための形態】
【０００９】
【実施例】
【００１０】  図１のように普通のカーテンを広げるようにあみカーテンを広げた後、カーテン固定ひもをその起点Ａにつけ、カーテン固定ひもをカーテン固定ひも誘導金具Ｂにかけ、カーテン固定ひもフックＣにとめてから衣服ハンガーＥをかけていく。カーテン固定ひもは、広げたあみカーテンが衣服ハンガーの重量で後戻りしないためのものである。カーテン固定ひもフックにとめる、カーテン固定ひものリング状の部分は、伸縮性の素材である。カーテン固定ひもが、たるみでカーテン固定ひもフックからはずれないようにするためである。本考案は窓を開けた状態で、窓に取り付けたあみとカーテンレールを用いて室内に衣服を干す方法である。特徴として、あみ目サイズ一辺５ｃｍのあみを使うことにより、小刻みにさまざまな高さの選択が可能となり、小柄な人にあみの高さを合わせる必要がなくなること。ハンガーをあみ目にかけることにより、ハンガーが風でずれなくすることができ、ピンチどめやとめ具どめの必要がなくなること。あみ目サイズを一辺５ｃｍにすることにより、ハンガーフック部（頭）がするりとぬけて、たくさんの時間の必要がなくなること（実際にあみ目サイズが５ｃｍあれば、それより多少大きいハンガーフック部でも５×２の１０ｃｍ位まであみ目が変形して広がるので、ほとんどのサイズのハンガーフック部が楽々と、とおりぬけることができる）、ずれないのでピンチどめやとめ具どめのためのたくさんの時間も必要ないこと。カーテンレールとあみを組み合わせていることにより、使わないときは簡単に片付けることができ、じゃまにならずにすみ、視界をさえぎらないですむことなどがあげられる
【産業上の利用可能性】
【００１１】大量にほすためには、張上げたあみ面を床面と平行にして使えばよく、頻繁に着る衣服をかけたハンガーの一時的な置き場を確保するためには、壁面に取り付けて使えばよい。容易に実現できる使用法である。本考案は、壁空間や天井空間の有効利用にもつながり、日本の狭い家の省スペース問題を解決するものでもある。そのため、一般家庭はもちろん、アパート、マンション、運動部部室、寮、社宅、公営住宅、看護施設や介護施設においても広く活用でき、洗濯物を干す人がいる所ならどこでも利用可能性が広がるものである。つまり、どこでもカーテンの市場は世界中にあふれている。
【符号の説明】
【００１２】  １  あみカーテン（ポリエチレン製）
２  カーテンフック
３  カーテンレール
４  カーテン固定ひも
５  木枠・横木
Ａ  カーテン固定ひも起点
Ｂ  カーテン固定ひも誘導金具（Ｌ字型）
Ｃ  カーテン固定ひもフック（Ｌ字型）
Ｄ  カーテンフック固定点
Ｅ  衣服ハンガー
【図１】
0003169608.tif 000003
【手続補正書】
【提出日】平成23年3月3日(2011.3.3)
【手続補正１】
【補正対象書類名】実用新案登録請求の範囲
【補正対象項目名】全文
【補正方法】変更
【補正の内容】
【実用新案登録請求の範囲】
【請求項１】
一辺５ｃｍのあみの形状を有するカーテン、カーテンレールと組み合わせたあみの形状を有するカーテン
【手続補正書】
【提出日】平成23年5月20日(2011.5.20)
【手続補正１】
【補正対象書類名】実用新案登録請求の範囲
【補正対象項目名】全文
【補正方法】変更
【補正の内容】
【実用新案登録請求の範囲】
【請求項１】
一辺５ｃｍのあみ目を有する、あみの形状をした洗濯物干し用カーテン。